【手続補正書】
【提出日】平成25年2月12日(2013.2.12)
【手続補正１】
【補正対象書類名】特許請求の範囲
【補正対象項目名】全文
【補正方法】変更
【補正の内容】
【特許請求の範囲】
【請求項１】
被処理水を上昇水流のもとで微生物と接触させて当該被処理水中の窒素化合物を分解する廃水処理装置であって、
前記被処理水を底部から供給して前記微生物と接触させた後に処理水として上部から排出させる反応槽と、
前記反応槽から排出された処理水の一部を、前記微生物の反応活性が高くなるｐＨ範囲となるように調整するｐＨ調整槽と、
前記反応槽の前記被処理水の供給部より高い位置に設けられ、前記反応槽内に堆積した前記微生物の堆積層に、前記ｐＨ調整槽で調整された処理水を注入する経路と、を備えた
ことを特徴とする廃水処理装置。
【請求項２】
前記ｐＨ調整された処理水を注入する経路は、前記ｐＨ調整された処理水が前記微生物の堆積層の高さの５０％以下の箇所に注入されるように備えられた
ことを特徴とする請求項１に記載の廃水処理装置。
【請求項３】
前記ｐＨ調整された処理水は、前記被処理水と混合されることなく注入される
ことを特徴とする請求項１または請求項２に記載の廃水処理装置。
【請求項４】
前記ｐＨ調整された処理水を注入する経路を、前記反応槽の高さ方向に複数設ける
ことを特徴とする請求項１から請求項３のいずれか１項に記載の廃水処理装置。
【請求項５】
被処理水を上昇水流のもとで微生物と接触させて当該被処理水中の窒素化合物を分解する廃水処理装置であって、
前記被処理水を底部から供給して前記微生物と接触させた後に処理水として上部から排出させる反応槽と、
前記反応槽から排出された処理水の一部を、前記微生物の反応活性が高くなるｐＨ範囲となるように調整するｐＨ調整槽と、
前記反応槽の内部に設けられ、前記微生物と前記被処理水との反応で生じた気泡と前記微生物とを分離するための気泡分離部材と、
前記気泡分離部材の下方であって、前記被処理水の供給部より高い位置に設けられ、前記ｐＨ調整槽でｐＨ調整された処理水を注入する経路と、を備えた
ことを特徴とする廃水処理装置。
【請求項６】
被処理水と微生物とを接触反応させる反応槽と、
前記反応槽で処理された後の処理水の一部を、前記微生物の反応活性が高くなるｐＨ範囲となるように調整するｐＨ調整槽と、
を備えた廃水処理装置による廃水処理方法であって、
前記被処理水を前記反応槽の底部から供給して、前記被処理水を前記微生物と接触させた後に処理水として前記反応槽の上部から排出させ、
前記ｐＨ調整槽で、前記排出された処理水の一部を、前記微生物の反応活性が高くなるｐＨ範囲となるように調整し、
前記反応槽に堆積した前記微生物の堆積層であって、前記被処理水の供給部より高い箇所に、前記ｐＨ調整された処理水を注入する
ことを特徴とする廃水処理方法。
【請求項７】
被処理水と微生物とを接触反応させる反応槽と、
前記反応槽の内部に設けられ、前記微生物と前記被処理水との反応で生じた気泡と前記微生物とを分離するための気泡分離部材と、
前記反応槽で処理された後の処理水の一部を、前記微生物の反応活性が高くなるｐＨ範囲となるように調整するｐＨ調整槽と、
を備えた廃水処理装置による廃水処理方法であって、
前記被処理水を前記反応槽の底部から供給して、前記被処理水を前記微生物と接触させた後に処理水として前記反応槽の上部から排出させ、
前記ｐＨ調整槽で、前記排出された処理水の一部を、前記微生物の反応活性が高くなるｐＨ範囲となるように調整し、
前記気泡分離部材の下方であって、前記被処理水の供給部より高い箇所に、前記ｐＨ調整槽でｐＨ調整された処理水を注入する
ことを特徴とする廃水処理方法。
【手続補正２】
【補正対象書類名】明細書
【補正対象項目名】００１２
【補正方法】変更
【補正の内容】
【００１２】
すなわち、上記課題を解決する本発明の廃水処理装置は、被処理水を上昇水流のもとで微生物と接触させて当該被処理水中の窒素化合物を分解する廃水処理装置であって、前記被処理水を底部から供給して前記微生物と接触させた後に処理水として上部から排出させる反応槽と、前記反応槽から排出された処理水の一部を前記微生物の反応活性が高くなるｐＨ範囲となるように調整するｐＨ調整槽と、前記反応槽の前記被処理水の供給部より高い位置に設けられ、前記反応槽内に堆積した前記微生物の堆積層に、前記ｐＨ調整槽でｐＨ調整された処理水を注入する経路と、を備えたことを特徴としている。
【手続補正３】
【補正対象書類名】明細書
【補正対象項目名】００１５
【補正方法】変更
【補正の内容】
【００１５】
また、本発明の廃水処理装置は、上記廃水処理装置において、前記ｐＨ調整された処理水を注入する経路を、前記反応槽の高さ方向に複数設けることを特徴としている。
【手続補正４】
【補正対象書類名】明細書
【補正対象項目名】００１６
【補正方法】変更
【補正の内容】
【００１６】
また、上記課題を解決する本発明の廃水処理装置は、被処理水を上昇水流のもとで微生物と接触させて当該被処理水中の窒素化合物を分解する廃水処理装置であって、前記被処理水を底部から供給して前記微生物と接触させた後に処理水として上部から排出させる反応槽と、前記反応槽から排出された処理水の一部を、前記微生物の反応活性が高くなるｐＨ範囲となるように調整するｐＨ調整槽と、前記反応槽の内部に設けられ、前記微生物と前記被処理水との反応で生じた気泡と前記微生物とを分離するための気泡分離部材と、前記気泡分離部材の下方であって、前記被処理水の供給部より高い位置に設けられ、前記ｐＨ調整槽でｐＨ調整された処理水を注入する経路と、を備えたことを特徴としている。
【手続補正５】
【補正対象書類名】明細書
【補正対象項目名】００１７
【補正方法】変更
【補正の内容】
【００１７】
また、上記課題を解決する本発明の廃水処理方法は、被処理水と微生物とを接触反応させる反応槽と、前記反応槽で処理された後の処理水のｐＨを前記微生物の反応活性が高くなるｐＨ範囲となるように調整するｐＨ調整槽と、を備えた廃水処理装置による廃水処理方法であって、前記被処理水を前記反応槽の底部から供給して、前記被処理水を前記微生物と接触させた後に処理水として前記反応槽の上部から排出させ、前記排出された処理水の一部を前記ｐＨ調整槽で、前記微生物の反応活性が高くなるｐＨ範囲となるように調整し、前記反応槽の堆積層であって、前記被処理水の供給部より高い箇所に、前記ｐＨ調整された処理水を注入することを特徴としている。
【手続補正６】
【補正対象書類名】明細書
【補正対象項目名】００１８
【補正方法】変更
【補正の内容】
【００１８】
また、上記課題を解決する本発明の廃水処理方法は、被処理水と微生物とを接触反応させる反応槽と、前記反応槽の内部に設けられ、前記微生物と前記被処理水との反応で生じた気泡と前記微生物とを分離するための気泡分離部材と、前記反応槽で処理された後の処理水の一部を前記微生物の反応活性が高くなるｐＨ範囲となるように調整するｐＨ調整槽と、を備えた廃水処理装置による廃水処理方法であって、前記被処理水を前記反応槽の底部から供給して、前記被処理水を前記微生物と接触させた後に処理水として前記反応槽の上部から排出させ、前記排出された処理水の一部を前記ｐＨ調整槽で前記微生物の反応活性が高くなるｐＨ範囲となるように調整し、前記気泡分離部材の下方であって、前記被処理水の供給部より高い箇所に、前記ｐＨ調整槽でｐＨ調整された処理水を注入することを特徴としている。